(57)【要約】【課題】地表面より低いピット内にガスメータを設置した場合などに冠水して圧力センサが圧力をセンシングできなくなる前に、冠水したことを検知する。冠水したことを外部に警報する。【解決手段】ガスメータのメータケースに取り付けた冠水検出スイッチ１０の電極間は、センサボデー１１で絶縁されている。冠水して水がＷ２まで上昇すると、電極１２と１３が水に漬かる。すると両電極１２と１３間が水で短絡され、両電極間の電気抵抗値が異常に下がる。この異常低下で冠水したことを知る。冠水したことはガスメータの外部へ警報する。【選択図】図３
2005214702.tif 000002
【特許請求の範囲】
【請求項１】
ガス圧力を検知する圧力センサと、該圧力センサがガス圧力の異常な低下を検知したときに作動してガスを遮断する遮断弁を有するガスメータにおいて、
複数の電極を有する冠水検出手段をガスメータの表面に配設し、該冠水検出手段の電極間の電気抵抗値の異常な低下を判定して冠水検知信号を出力する判定手段を設け、
該判定手段の出力に基づいて冠水を検知することを特徴とするガスメータ。
【請求項２】
ガスメータを所定の設置場所に取り付けた状態において、
圧力センサに大気圧を導く大気開放孔の位置と同等あるいは低い位置に冠水検出手段が位置するように、冠水検出手段を配設したことを特徴とする請求項１記載のガスメータ。
【請求項３】
冠水検出手段の電極の数が３個以上であって、
冠水検出手段の少なくとも１組の電極間の電気抵抗値の異常な低下を判定して冠水検知信号を出力する判定手段を設けたことを特徴とする請求項１又は２記載のガスメータ。
【請求項４】
冠水検出手段の電極の数が３個以上であって、
冠水検出手段の少なくとも２組以上の複数組の電極間の電気抵抗値が共に異常な低下を生じたときに判定手段が冠水検知信号を出力することを特徴とする請求項１又は２記載のガスメータ。
【請求項５】
ガス圧力を検知する圧力センサと、該圧力センサがガス圧力の異常な低下を検知したときに作動してガスを遮断する遮断弁を有するガスメータにおいて、
圧力センサに大気圧を導く導圧通路に、冠水検出手段として導圧通路の湿度を検出する湿度センサを配設し、
該湿度センサで検出した導圧通路の湿度が一定以上であることを判定して冠水検知信号を出力する判定手段を設け、
該判定手段の出力に基づいて冠水を検知することを特徴とするガスメータ。
【請求項６】
ガス圧力を検知する圧力センサと、該圧力センサがガス圧力の異常な低下を検知したときに作動してガスを遮断する遮断弁を有するガスメータにおいて、
ガスメータの表面に配設した、複数の電極を有する第１の冠水検出手段と、該冠水検出手段の電極間の電気抵抗値の異常な低下を判定して冠水検知信号を出力する第１の判定手段と、
圧力センサに大気圧を導く導圧通路に配設され、導圧通路の湿度を検出する第２の冠水検出手段としての湿度センサと、該湿度センサで検出した導圧通路の湿度が一定以上であることを判定して冠水検知信号を出力する第２の判定手段とを具備し、
第１の判定手段又は第２の判定手段の出力に基づいて冠水を検知することを特徴とするガスメータ。
【請求項７】
ガス圧力を検知する圧力センサと、該圧力センサがガス圧力の異常な低下を検知したときに作動してガスを遮断する遮断弁を有するガスメータにおいて、
ガスメータの表面に配設した、複数の電極を有する第１の冠水検出手段と、該冠水検出手段の電極間の電気抵抗値の異常な低下を判定して冠水検知信号を出力する第１の判定手段と、
圧力センサに大気圧を導く導圧通路に配設され、導圧通路の湿度を検出する第２の冠水検出手段としての湿度センサと、該湿度センサで検出した導圧通路の湿度が一定以上であることを判定して冠水検知信号を出力する第２の判定手段とを具備し、
第１の判定手段の出力と第２の判定手段の出力の論理積に基づいて冠水を検知することを特徴とするガスメータ。
【請求項８】
冠水を検知した場合には、外部への警報を行うようにしたことを特徴とする請求項１乃至７のいずれかに記載のガスメータ。
【請求項９】
冠水を検知した場合には、圧力センサがガス圧力の異常な低下を検知したときでも遮断弁を閉止しないことを特徴とする請求項１乃至７のいずれかに記載のガスメータ。
【請求項１０】
冠水を検知した場合には、
外部への警報を行うようにし、
かつ、圧力センサがガス圧力の異常な低下を検知したときでも遮断弁を閉止しないことを特徴とする請求項１乃至７のいずれかに記載のガスメータ。
【請求項１１】
電極を有する冠水検出手段としての冠水検出スイッチを、ガスメータ表面に配設する代わりに、ガスメータ表面からわずかにメータ内部側へ下げた位置に配設し、その前に吸湿性の部材を接触させて設けたことを特徴とする請求項１〜４又は６〜１０のいずれかに記載のガスメータ。
【発明の詳細な説明】
【技術分野】
【０００１】
本発明はガスメータ、特に地表面より低いピット内に設置するのに好適なガスメータに関する。
【背景技術】
【０００２】
ガスメータでは、「ガス圧力の異常な低下を検知した場合、ガスを遮断する機能を有すること」が法令で定められている。そのため、ガス圧力の低下を検出するために圧力スイッチ等の圧力センサを搭載しており、大気開放孔を設けて、大気圧を圧力センサに導入し、ガス圧力との差圧を監視するようになっている。大気開放孔はガスメータの外部へ開口しているので、雨水などの水滴が直接圧力センサへ浸入しないように、透湿性の防水膜、例えばポリテトラフルオロエチレン（ＰＴＦＥ）製シートで前記開口を覆って保護することが行われている（例えば特許文献１参照）。
【０００３】
図１にこのような従来技術の構成概念的に示す。２はガスメータ１内におけるガスの流入通路で、ガスメータ１に内蔵される圧力スイッチ等の圧力センサ３には、ガス圧側の導圧通路４を介してガス圧が、また、大気圧側の導圧通路５を介して大気圧が印加され、ガス圧と大気圧の差圧を圧力センサ３が検出する。すなわち、圧力センサ３はいわゆるガス圧力を検出する。ガスメータ１のガスメータ本体の表面６に開口する大気開放孔７、すなわち導圧通路５の開口７は透湿性防水膜８で覆われている。表面６を示す垂直な面（図では線）の左側はガスメータ外部、右側はガスメータ内部である。
【０００４】
ところで、ガスメータはガス需要家の建造物（住戸）の壁面に沿って配設され、地表面下から立ち上がる２本の立上り配管をガスメータの入口と出口の各口金に連通・接続している。そのため、建造物の景観を損なうという欠点があった。そこで、かかる欠点の対応策として、敷地の一部を掘り下げて地表面より低い位置にピット（凹所）を形成し、このピット内にガスメータを設置することが検討されている。
【特許文献１】特開平９−３１１０６４号公報
【発明の開示】
【発明が解決しようとする課題】
【０００５】
図１に示すような圧力スイッチ等の圧力センサ３を内蔵したガスメータ１は、地表面より低いところのピット内に設置した場合、雨水などがピット内に溜まり、ガスメータが冠水するようなことが生じて、冠水の水位が図１で符号Ｗで示す位置以上になると、透湿性防水膜８によって圧力センサ３への浸水は防ぐことができるものの、大気開放孔（開口）７が水で塞がれてしまうので、大気側導圧通路５の導圧作用が損なわれることが懸念される。冠水の水位によっては、圧力センサ３による正常な圧力測定ができなくなるという虞れがある。
【０００６】
そこで本発明は、冠水を自動的に検知し、必要に応じて警報等を行うことのできるガスメータを提供することを目的とする。
【課題を解決するための手段】
【０００７】
本発明は、ガスメータの表面に、複数の電極を有する冠水検出手段を備え、該冠水検出手段の電極間の電気抵抗の減少で冠水を検知することを最も主要な特徴とする。冠水検出手段として、大気圧側の導圧通路の湿度を検出する湿度センサを設け、導圧通路の湿度が所定値以上になることで冠水を検知するようにしてもよい。
【０００８】
そして、上記目的を達成するために、請求項１の発明は、ガス圧力を検知する圧力センサと、該圧力センサがガス圧力の異常な低下を検知したときに作動してガスを遮断する遮断弁を有するガスメータにおいて、
複数の電極を有する冠水検出手段をガスメータの表面に配設し、該冠水検出手段の電極間の電気抵抗値の異常な低下を判定して冠水検知信号を出力する判定手段を設け、
該判定手段の出力に基づいて冠水を検知することを特徴とするガスメータである。
【０００９】
請求項２記載の発明は、請求項１のガスメータにおいて、ガスメータを所定の設置場所に取り付けた状態において、
圧力センサに大気圧を導く大気開放孔の位置と同等あるいは低い位置に冠水検出手段が位置するように、冠水検出手段を配設したことを特徴とするものである。
【００１０】
請求項３記載の発明は、請求項１又は２のガスメータにおいて、冠水検出手段の電極の数が３個以上であって、
冠水検出手段の少なくとも１組の電極間の電気抵抗値の異常な低下を判定して冠水検知信号を出力する判定手段を設けたことを特徴とするものである。
【００１１】
請求項４記載の発明は、請求項１又は２のガスメータにおいて、冠水検出手段の電極の数が３個以上であって、
冠水検出手段の少なくとも２組以上の複数組の電極間の電気抵抗値が共に異常な低下を生じたときに判定手段が冠水検知信号を出力することを特徴とするものである。
【００１２】
請求項５記載の発明は、ガス圧力を検知する圧力センサと、該圧力センサがガス圧力の異常な低下を検知したときに作動してガスを遮断する遮断弁を有するガスメータにおいて、
圧力センサに大気圧を導く導圧通路に、冠水検出手段として導圧通路の湿度を検出する湿度センサを配設し、
該湿度センサで検出した導圧通路の湿度が一定以上であることを判定して冠水検知信号を出力する判定手段を設け、
該判定手段の出力に基づいて冠水を検知することを特徴とするガスメータである。
【００１３】
請求項６の発明は、ガス圧力を検知する圧力センサと、該圧力センサがガス圧力の異常な低下を検知したときに作動してガスを遮断する遮断弁を有するガスメータにおいて、
ガスメータの表面に配設した、複数の電極を有する第１の冠水検出手段と、該冠水検出手段の電極間の電気抵抗値の異常な低下を判定して冠水検知信号を出力する第１の判定手段と、
圧力センサに大気圧を導く導圧通路に配設され、導圧通路の湿度を検出する第２の冠水検出手段としての湿度センサと、該湿度センサで検出した導圧通路の湿度が一定以上であることを判定して冠水検知信号を出力する第２の判定手段とを具備し、
第１の判定手段又は第２の判定手段の出力に基づいて冠水を検知することを特徴とするガスメータである。
【００１４】
請求項７の発明は、ガス圧力を検知する圧力センサと、該圧力センサがガス圧力の異常な低下を検知したときに作動してガスを遮断する遮断弁を有するガスメータにおいて、
ガスメータの表面に配設した、複数の電極を有する第１の冠水検出手段と、該冠水検出手段の電極間の電気抵抗値の異常な低下を判定して冠水検知信号を出力する第１の判定手段と、
圧力センサに大気圧を導く導圧通路に配設され、導圧通路の湿度を検出する第２の冠水検出手段としての湿度センサと、該湿度センサで検出した導圧通路の湿度が一定以上であることを判定して冠水検知信号を出力する第２の判定手段とを具備し、
第１の判定手段の出力と第２の判定手段の出力の論理積に基づいて冠水を検知することを特徴とするガスメータである。
【００１５】
請求項８の発明は、請求項１乃至７のいずれかのガスメータにおいて、冠水を検知し場合には、外部への警報を行うようにしたことを特徴とするものである。
【００１６】
請求項９の発明は、請求項１乃至７のいずれかのガスメータにおいて、冠水を検知した場合には、圧力センサがガス圧力の異常な低下を検知したときでも遮断弁を閉止しないことを特徴とするものである。
【００１７】
請求項１０の発明は、請求項１乃至７のいずれかのガスメータにおいて、冠水を検知した場合には、
外部への警報を行うようにし、
かつ、圧力センサがガス圧力の異常な低下を検知したときでも遮断弁を閉止しないことを特徴とするものである。
【００１８】
請求項１１の発明は、請求項１〜４又は６〜１０のいずれか１つのガスメータにおいて、電極を有する冠水検出手段としての冠水検出スイッチを、ガスメータ表面に配設する代わりに、ガスメータ表面からわずかにメータ内部側へ下げた位置に配設し、その前に吸湿性の部材を接触させて設けたことを特徴とするものである。
【発明の効果】
【００１９】
ガスメータが冠水したことを的確に検知することができるため、地表面より低いピット内にガスメータを設置することの実用化に寄与する。
【００２０】
更に、請求項２の発明では、圧力センサに大気圧を導く大気圧開放孔が冠水で塞がれた場合には、必ず冠水を検知することができる。
【００２１】
請求項３の発明は、複数組の電極のうち、１組でも水に漬かれば冠水と判定するので、敏感に冠水を検知することができる。
【００２２】
請求項４の発明では、２組以上の複数組の電極が水に漬かったときに冠水と判定するので、外乱による不安定さを減少し、確実な冠水検知を行うことができる。
【００２３】
請求項５の発明では、大気開放孔が冠水した水で塞がれた場合、透湿性防水膜を通して導圧通路内に侵入する水蒸気を湿度センサが感知することで、冠水状態となったことを検知でき、やはり地表面より低いピット内にガスメータを設置することの実用化に寄与する。
【００２４】
請求項６の発明は、第１と第２の冠水検出手段のいずれかが水に漬かると冠水状態となったことを検知するので、確実に冠水を検知するばかりでなく、より敏感に冠水を検知することができる。
【００２５】
請求項７の発明は、第１と第２の冠水検出手段が共に水に漬かると冠水状態になったと判定するので、外乱による不安定さをより減少し、より確実な冠水検知を行うことができる。
【００２６】
請求項８発明は、冠水状態を検出したら、更に警報出力を送出することで、ガス使用者またはガス事業者に放置することができる。ガス使用者には、ブザー（音）やランプ（光）などによる現地型の警報手段が、ガス事業者には、電話回線を介した遠隔通信によって検針センタ等へ報知する警報手段があるが、両手段を併設することもできる。
【００２７】
請求項９の発明では、冠水を検知した場合には、ガス圧力の異常低下に相当する状態となっても遮断弁は閉止されないため、ガス使用者の利便性を損なう虞れがない。
【００２８】
また、請求項１０の発明では、請求項８と９の両方の効果を共に期待できる。
そして、請求項１１の発明では、吸湿性の部材を通して冠水検出スイッチの電極導体部へ冠水した水が導かれるので、請求項１〜４又は６〜１０のいずれかと同じ効果が得られる。
【発明を実施するための最良の形態】
【００２９】
本発明を実施するための最良の形態を図の実施例に基づいて説明する。
【実施例１】
【００３０】
図２は本発明の実施例に使う冠水検出手段の１例としての冠水検出スイッチ（冠水検出センサと呼ぶこともできる）１０で、電気絶縁性の合成樹脂からなるセンサボデー１１に金属導体からなる棒状の電極１２，１３をインサート成形して構成してある。同図（ａ）は冠水検出スイッチ１０の正面図、（ｂ）は同図（ａ）のＡ−Ａ線断面図である。
【００３１】
図３は、図２に示す冠水検出スイッチ１０をガスメータのメータケース９に装着した状態を示し、冠水検出スイッチ１０は、図２（ａ）に示す状態から９０度回動させた姿勢でメータケース９に取り付けてある（図３（ａ））。符号６はメータケース９の表面で、図１で説明したガスメータの表面６に相当する。
【００３２】
メータケース９を備えたガスメータ１が図示されてない地表面よりも低いピット内に設置されていて、図３（ａ）（ｂ）の符号Ｗ１に示す水面まで冠水したとすると、冠水検出スイッチ１０の電極１２，１３は水に漬かっていないので、両電極１２と１３間は電気的に絶縁状態にある。ところが冠水の水面が図３（ａ）（ｃ）の符号Ｗ２に示す位置まで上昇すると、電極１２，１３が水に漬かり、両電極１２と１３間の電気抵抗値が異常に低下していれば短絡（ショート）状態となる。こうして、冠水検出スイッチ１０は冠水を感知する冠水検出センサとして作用する。
【００３３】
図４は、図２と図３に示す冠水検出スイッチ１０が水に漬かっていないか、水に漬かっているかを判定する電気回路の１例を示す。冠水検出手段としての冠水検出スイッチ１０の一方の電極１２は接地され、他方の電極１３は判定手段１５を構成するコンパレータ１６のオペアンプ１７のマイナス入力へ接続され、かつ、電極１３はプルアップ抵抗Ｒ１を介して正電源＋Ｅへ接続されている。オペアンプ１７のプラス入力には、正電源＋Ｅを抵抗Ｒ１とＲ２で分圧した比較電圧が入力される。Ｒｆはフィードバック抵抗である。
【００３４】
冠水検出スイッチ１０の両電極１２と１３が水に漬かっていないときは、両電極間は絶縁状態にあって、電気抵抗値が無限大に近いので、判定回路１５の出力Ｖ０は低電位“Ｌ”となる。ガスメータが冠水して、両電極１２と１３が、前記図３（ａ）（ｂ）に符号Ｗ２で示す水位のために水に漬かると、両電極１２と１３間が、水で短絡されてショーとし、両電極間の電気抵抗値が異常に低下する。したがって、オペアンプ１７のマイナス入力の電位がプラス入力の電位より下がり、判定回路の出力電圧Ｖ０が高電位“Ｈ”となって、冠水検知信号が出力される。
【００３５】
図５は、第２の冠水検知手段として作用する湿度センサを圧力センサの大気圧側の導圧通路に設けたことを示す構成概念図で、ガスメータ１内のガス流入通路２のガス圧力をセンシングするための圧力スイッチ等の圧力センサ３には、ガス圧側の導圧通路４を通してのガス圧と、大気圧側の導圧通路を通しての大気圧とが導かれ、ガス圧と大気圧の差圧であるガス圧力を感知する。導圧通路５の大気開放孔（開口）７は透湿性防水膜８で覆われている。大気圧側の導圧通路５には湿度センサ１８が配設され、導圧通路内の湿度を検出して電気信号に変換する。
【００３６】
図６は、本発明を適用したガスメータの実施例１のブロック図で、図２，３で説明した冠水検出手段としての冠水検出スイッチ１０と、図４で説明した判定手段１５と、図５で説明した湿度センサ１８と、圧力センサ３とを使用している。このガスメータ１は、ガスの流速を超音波を用いて計測する周知の超音波方式の流速計測手段１９を有し、この流速計測手段１９の計測流路へ矢印Ａのように被計測ガスが流入し、矢印Ｂのように流出する。流速計測手段１９で計測されたガスの流速に基づいて、マイクロコンピュータ２０がガス流量を演算・積算し、需要家のガス使用量を表示部２１に表示する。ＢＹは電源用電池である。
【００３７】
圧力センサ３はガス圧力をセンシングする。マイクロコンピュータ２０は、ガス圧力が異常に低下すると周知の遮断弁２２を閉止作動させて、ガスの供給を遮断する。なお、遮断弁２２は、安全を確認した上で、手動によって開弁状態に復帰させる機能を備えており、これらのことは周知である。冠水検出スイッチ１０は第１の冠水検出手段を構成する。また、湿度センサ１８は第２の冠水検出手段を構成する。
【００３８】
第１の冠水検出手段である冠水検出スイッチ１０が冠水によって水に漬かると、その電極間の電気抵抗値が異常に低下して短絡状態となる。これを第１の判定手段１５が判定して冠水検知信号を前記図４で説明したように出力し、マイクロコンピュータ２０に入力する。また、湿度センサ１８は、図５における大気開放孔（開口）７を超えて冠水があると、大気側導圧通路５の湿度の異常な高まりを感知する。この異常な高まりによる一定以上の湿度を第２の判定手段２３が判定して冠水検知信号を出力して、この冠水検知信号をマイクロコンピュータ２０に入力する（請求項６）。
【００３９】
マイクロコンピュータ２０は第１の判定手段１５からの冠水検知信号又は第２の判定手段２３からの冠水検知信号のいずれかが入力されると、報知回路２４を介してガスメータの外部へ冠水警報を行い、ガス使用者にブザー２５を鳴動させて知らせたり、ランプ２６を点滅させて冠水の発生を知らせる。また、通信端末２７及び公衆電話回線２８を介してガス事業者の検針センタ２９へも冠水の発生を知らせる。検針センタ２９はガス使用量の自動検針などのサービスを行うセンタであり、冠水の発生の警報を受信すると必要なサービス要員の派遣などを手配することができる。
【００４０】
図７は実施例１のガスメータ１を地表面３０より低いピット３１内に設置した状態を説明する図で、被計測ガスは、ガス配管３２からガスメータ１に流入し、ガス配管３３へ流出する。２１はガスメータ１の表示部、７は前記圧力センサ３へ大気圧を導入するための大気開放孔（開口）で、前述のように透湿性防水膜で覆われている。第１の冠水検出手段としての冠水検出スイッチ１０は、電極１２と１３間が、冠水時に大気開放孔（開口）７よりも先に水に漬かるように、大気開放孔（開口）７よりも実質的に低い位置、すなわち下に取り付けられている（請求項２）。なお、大気開放孔（開口）７は図示のようにガスメータ１の前面（図示手前）に配設され、冠水検出スイッチ１０もこの前面に配設されている。３４はピット３１に被せた開閉可能の蓋である。
【００４１】
なお、図６において、第１の判定手段１５又は第２の判定手段２３から冠水検知信号が入力されると、マイクロコンピュータ２０は、報知回路２４を介してガスメータ外部へ警報を出すが、同時に、冠水検知信号が入力されている間は、圧力センサ３がガス圧力の異常な低下を検知しても遮断弁２２を閉止しないようにプログラムが構成してある（請求項９）。
【実施例２】
【００４２】
前記実施例１では、冠水検出手段としての冠水検出スイッチ１０は２つの電極１２と１３を備え、これらの電極が１組となって、両電極間の電気抵抗値によって、冠水していないか、冠水しているかを感知するようにしたが、冠水検出スイッチ１０に３個以上の数の電極を設け、複数組の電極組み合わせを構成して、いずれかの組の電極間の電気抵抗値が異常に低下したら冠水が発生したと認識するようにすることができる。
【００４３】
図８はこのような実施例の要部を示す回路図で、冠水検知手段としての冠水検知スイッチ１０は、３個の電極１２，１３，１４を備えている。電極１２と１３とで１組の組み合わせが、電極１２と１４とでもう１組の組み合わせが構成されている。電極１２と１３との組み合わせによる電極間電気抵抗値の冠水による異常な低下（ショート）は、コンパレータ１６によって前述の図４での説明のように検出される。そして、電極１２と１３とによる別の組み合わせによる電極間電気抵抗値の冠水による異常な低下（ショート）は、コンパレータ１６Ａによって、コンパレータ１６によるのと同様に検出される。両コンパレータ１６と１６Ａの出力は、ＯＲゲート３５に入力される。したがって、コンパレータ１６，１６ＡとＯＲゲート３５とで構成される第１の判定手段１５は、１組の電極１２、１３間か、もう１組の電極１２、１４間が冠水によって水に漬かると図８の第１の判定手段１５の出力端子１５ａに冠水検知信号が出力され、これがマイクロコンピュータ２０に入力される（請求項３）。
【００４４】
この実施例２では、冠水検出手段である冠水検出スイッチ１０と第１の判定手段１５とが、上記実施例１と異なるが、他の部分のガスメータの構成は実施例１と同じである。
【実施例３】
【００４５】
図９に示す実施例３は、請求項４の発明に対応し、前記実施例２の図８と比較して、第１の判定回路１５だけが異なる。したがって、図８の実施例２と同じ機能を果たす要素は同じ符号を付けてその説明を省略する。この実施例３では、図９に示すコンパレータ１６と１６Ａの出力はＡＮＤゲート３６に入力され、ＡＮＤゲート３６の出力端子、すなわち第１の判定手段１５の出力端子１５ａの冠水検知信号は前記マイクロコンピュータ２０に入力される。こうして、冠水検出スイッチ１０による冠水の検出は、２組の電極１２，１３と１２，１４とが共に水に漬かっているときに、冠水として検知される。
【実施例４】
【００４６】
図２〜図７に基づいて説明した実施例１では、第１の判定手段１５と第２の判定手段２３のいずれかの判定手段の冠水検知信号に基づいて、マイクロコンピュータ２０が冠水があると検知するようにしているが、マイクロコンピュータ２０のプログラムを少し変更することで、請求項７に対応する実施例に変えることができる。すなわち、図６において、第１の判定手段１５と第２の判定手段２３が共に冠水検知信号を出力していると、マイクロコンピュータ２０が冠水があると認識するように、両判定手段１５と２３の出力の論理積に基づいて冠水ありとするようにする。
【実施例５】
【００４７】
図１０は膜式ガスメータに本発明を適用した場合の構成図である。矢印Ａのようにガス入口からガスメータ１へ流入したガスは、ガス流入通路２を通って矢印Ｂのように計量室４０に入る。そして、計量機構４１によって計量される。計量機構のひじ金４２に取り付けた永久磁石４３の周期運動は流量センサ４４で検知されて電気パルス信号をプリント配線基板４５に搭載されたマイクロコンピュータに入力する。マイクロコンピュータはパルス信号に基づいて流量異常等の緊急時には遮断弁２２を閉止して、ガスの供給を止める。この種のガスメータはマイコンメータの名称で周知である。４６は閉止状態の遮断弁２２を手動で開弁する復帰ボタンである。計量室４０のガスは、矢印Ｃから矢印Ｄのようにガス出口へと流出する。４７はＬＥＤ表示ランプで、流量異常等の各種の異常を所定の点滅パターンで表示する。
【００４８】
圧力センサ３は、ガス流入通路２のガス圧力を検出し、ガス圧力の異常な低下があると前記マイクロコンピュータが遮断弁２２を作動させて閉止し、ガスの供給を止める。冠水検出スイッチ１０からなる第１の冠水検出手段は、冠水による浸水を検出すると、電極間の電気抵抗値が異常に低下する。マイクロコンピュータはこれを認識して冠水とし、報知回路２４を介してブザー２５とランプ２６でガス使用者に警報する。また、通信端末２７と公衆電話回線２８を介してガス事業者の検針センタ２９に冠水の発生を知らせる。
【００４９】
大気開放口７からの大気圧は大気圧側の導圧通路５を介して圧力センサ３に導かれているが、第２の冠水検出手段としての湿度センサ１８は、導圧通路５内の湿度を感知し、プリント配線基板４５のマイクロコンピュータに入力する。マイクロコンピュータは、湿度センサ１８が湿度の異常な上昇を感知すると冠水と見て、報知回路２４を通して、ブザー２５、ランプ２６及び検知センタ２９へ警報などの通知をする。
【００５０】
なお、冠水検出スイッチ１０や湿度センサ１８の信号により、マイクロコンピュータが冠水の発生を認識すると、前述のようにマイクロコンピュータは報知回路２４を介してガスメータ外部へ警報を出すが、同時に冠水中は、圧力センサ３がガス圧力の異常な低下を検知しても遮断弁２２を閉止しないように、マイクロコンピュータのプログラムが構成してある。
【００５１】
［冠水検出スイッチの異なる構成］
冠水検出手段としての冠水検出スイッチの構成として、更に次のような異なる構成とすることができる。
【００５２】
１）図２で、一方の電極１２をガスメータの金属製外ケースに置き換え、図２のようなピン（棒）状の電極を１本だけとし、金属製外ケースと１本の電極１３とで冠水検出スイッチを構成する。
【００５３】
２）更に、特別な「冠水検出スイッチ」という部品は設けず、ガスメータの金属製外ケースのうち、電気的に絶縁された２箇所を電極として利用することもできる。例えば、本体ケースと前ふたを活用する。
【００５４】
［冠水検出スイッチの取付構造］
次のような取付構造を採用してもよい。
１）一時的な雨だれで誤って冠水と検知しないように、電極の露出面、すなわち図２（ｂ）の図示左端面を下に向けて取り付ける。
【００５５】
２）一時的な雨だれで誤作動しないように冠水スイッチの上側にひさし状の覆いをつける。
３）冠水検出センサの電極の間を仕切る凸条の隔壁を合成樹脂製のセンサボデー１１の表面（図２（ｂ）の図示左端面）に形成する。こうして、わずかな水滴の付着で誤作動しないようにして信頼性を向上する。
【００５６】
４）冠水スイッチは、表面に露出させず、吸湿性の材料を通して、導体部へ水分が導かれるようにする（請求項１１）。
【図面の簡単な説明】
【００５７】
【図１】従来技術における圧力センサ周りの構成概念図。
【図２】本発明の実施例に用いる冠水検出スイッチで、（ａ）は上面図、（ｂ）は同図（ａ）のＡ−Ａ線断面図。
【図３】本発明の実施例の冠水検出スイッチ周りの図で、（ａ）は縦断面図、（ｂ）と（ｃ）は正面図で異なる水位の状態を示す。
【図４】本発明の冠水検出手段と判定手段の電気回路図。
【図５】本発明の実施例の圧力センサ及び湿度センサ周りの構成概念図。
【図６】本発明を適用したガスメータの実施例１のブロック図。
【図７】本発明を適用したガスメータの実施例１の設置状態を説明する一部縦断正面図。
【図８】本発明の実施例２の要部の電気回路図。
【図９】本発明の実施例３の要部の電気回路図。
【図１０】本発明を適用したガスメータの実施例５の構成図。
【符号の説明】
【００５８】
１  ガスメータ
３  圧力センサ
４  導圧通路
６  ガスメータの表面
７  大気開放孔（開口）
８  透湿性防水膜
１０  冠水検出手段としての冠水検出スイッチ
１２，１３，１４  電極
１５  判定手段
１８  湿度センサ
２０  マイクロコンピュータ
２２  遮断弁
２３  判定手段
２５  ブザー
２６  ランプ
【図１】
2005214702.tif 000003
【図２】
2005214702.tif 000004
【図３】
2005214702.tif 000005
【図４】
2005214702.tif 000006
【図５】
2005214702.tif 000007
【図６】
2005214702.tif 000008
【図７】
2005214702.tif 000009
【図８】
2005214702.tif 000010
【図９】
2005214702.tif 000011
【図１０】
2005214702.tif 000012